(57)【特許請求の範囲】
【請求項１】
被写体を撮影する撮影装置において、
本体筐体と、
前記本体筐体の前面に設けられた、被写体光を結像させる光学系を収容した光学鏡胴と、
所定の操作を受けて、この撮影装置の電源を投入／切断する電源入切部と、
前記光学鏡胴を前記本体筐体に対して突出／沈胴させる鏡胴駆動部と、
前記光学系によって結像する被写体光を撮影して該被写体光を表す画像データを生成する撮像部と、
画像データが表わす撮影画像が表示されるディスプレイと、
前記撮像部で生成される画像データを記憶する処理、および、記憶された画像データの撮影画像を前記ディスプレイに表示させる処理を行うデータ処理部と、
撮影に関する指示が入力操作によって入力される指示入力部と、
前記鏡胴駆動部、前記撮像部、および前記データ処理部を制御する制御部であって、該鏡胴駆動部に前記光学鏡胴を突出させて該撮像部に前記画像データを生成させ該データ処理部に該画像データを記憶させる撮影モードと、該データ処理部に記憶された画像データの表示処理を実行させる処理モードとを有し、前記電源入切部によって電源が切断される場合には該鏡胴駆動部に前記光学鏡胴を沈胴させ、該撮影モードにて該電源入切部によって電源が投入された場合には、該光学鏡胴を突出させて該撮影モードでの制御を行い、該処理モードにて該電源入切部によって電源が投入された場合には、前記光学鏡胴を沈胴させたまま該処理モードでの制御を行う制御部とを備え、
前記電源入切部は、前記指示入力部に指示が入力されてから第１の時間が経過しても次の指示が入力されない場合には前記操作抜きで電源を切断するとともに、電源を投入してから該指示入力部に一度も指示が入力されずに該第１の時間よりも短い第２の時間が経過した場合にも前記操作抜きで電源を切断するものであることを特徴とする撮影装置。
【請求項２】
前記制御部が、所定のモード指示操作を受けるものであって、該モード指示操作を受けて、前記処理モードでの制御から前記撮影モードでの制御に移行するものであることを特徴とする請求項１記載の撮影装置。
【請求項３】
音声を取得する音声取得部を備え、
前記制御部が、前記音声取得部において所定の音声が取得された場合に、前記処理モードでの制御から前記撮影モードでの制御に移行するものであることを特徴とする請求項１記載の撮影装置。
【請求項４】
前記制御部は、前記処理モードにて前記電源入切部によって電源が投入された場合には、前記光学鏡胴を突出させずに前記画像データを生成させて、該画像データが表わす画像の明るさが所定の明るさよりも明るいか否かを判定させる処理モードでの制御を行うものであり、該画像が明るいと判定された場合には、該処理モードでの制御から前記撮影モードでの制御に移行するものであることを特徴とする請求項１記載の撮影装置。
【請求項５】
この撮影装置が固定されているか否かを検出する固定検出部を備え、
前記制御部が、前記処理モードにて前記電源入切部によって電源が投入された場合であっても、前記固定検出部でこの撮影装置の固定が検出されている場合には前記撮影モードでの制御を行うものであることを特徴とする請求項１記載の撮影装置。
【請求項６】
この撮影装置は、ストラップを装着する装着部分を備えたものであり、
前記装着部分に装着されたストラップが引っ張られたことを検出するストラップ検出部を備え、
前記制御部は、前記ストラップ検出部で前記ストラップが引っ張られたことが検出された場合に、前記鏡胴駆動部に前記光学鏡胴を沈胴させるものであることを特徴とする請求項１記載の撮影装置。
【発明の詳細な説明】
【技術分野】
【０００１】
本発明は、被写体光の像を撮影する撮影装置に関する。
【背景技術】
【０００２】
近年、デジタルカメラやデジタルビデオカメラなどの小型化が急速に進んでいる。小型の撮影装置は、見栄えが良いうえ、どこにでも嵩張らずに持ち運ぶことができ、いつでも手軽に撮影を行うことができるという利点がある。また、近年では、高画素の小型ＣＣＤや、これに対応した小型レンズなどが開発されてきており、小型の撮影装置でも、十分な画質の撮影画像を取得することができるようになってきている。このような状況の中で、小型の撮影装置にも、通常サイズの撮影装置の分野ではすでに一般的な機能であるオートフォーカス機能に加えて、広角撮影や望遠撮影を実現するズーム機能が搭載されることが望まれている。
【０００３】
ズーム機能は、レンズ鏡胴内で複数のレンズが移動されて、それらのレンズ間の相互距離が調整されることによって実現されるが、望遠から広角までの広範囲な撮影画角を実現するためには、レンズの移動範囲を十分に長くとる必要がある。ここで、レンズの破損等を防止するため、撮影終了後にはレンズ鏡胴を撮影装置内に沈胴させることが好ましく、レンズ鏡胴を構成する筒の長さ自体を単純に伸ばしてしまうと、撮影装置が厚くなってしまうという問題がある。通常は、複数の筒が入れ子状に嵌め込まれたレンズ鏡胴を適用し、撮影時は、それら複数の筒を伸ばしてレンズ鏡胴を撮影装置から突出させ、撮影終了後は、それら複数の筒を縮めてレンズ鏡胴を撮影装置内に沈胴させることが行われている。このような複数の筒で構成されたレンズ鏡胴を適用することにより、広範囲な撮影画角と、撮影装置の薄型化とを両立することができる。
【０００４】
ところで、上述したズーム式の撮影装置などでは、電源が投入されるとすぐにレンズ鏡胴が繰り出されて、撮影可能な状態にスタンバイされることが一般的である。しかし、例えば、ポケットやかばんの中で撮影装置の電源スイッチが誤って押されてしまった場合、レンズ鏡胴が繰り出されてポケットやかばんの中で引っ掛かり、レンズ鏡胴に無理な力がかかってしまう。上述したように、レンズ鏡胴は複数の筒が重ねあわされて構成されていることが多く、レンズ鏡胴が繰り出しているときに力がかかると、それらの筒の繋ぎ目部分などが折れてしまってレンズが破損してしまう恐れがある。
【０００５】
この点に関し、特許文献１には、レンズ鏡胴に指がかかっていることを検知して、レンズ鏡胴の繰り出しを中止する技術について記載されており、特許文献２には、所定時間以内にレンズ鏡胴が指定位置まで繰り出されなかった場合は、レンズ鏡胴を沈胴させる技術について記載されており、特許文献３には、所定時間以内にレンズ鏡胴が指定位置まで繰り出されなかった場合は、レンズ鏡胴を待避位置に移動させる技術について記載されている。これら特許文献１、特許文献２、および特許文献３に記載された技術によると、レンズ鏡胴が繰り出されている途中でレンズ鏡胴に無理な力がかかり、レンズが破損してしまう不具合が軽減される。
【特許文献１】特開２００１−９１９９３号公報
【特許文献２】特開２００３−３１９２２１号公報
【特許文献３】特開２００４−７８０１０号公報
【発明の開示】
【発明が解決しようとする課題】
【０００６】
しかし、上述したように、撮影装置はますます小型化してきており、それに伴って、レンズやレンズ鏡胴も小型化してきている。このため、レンズ鏡胴は、本体筐体から突出された状態で小さな力が掛かっただけでも折れてしまいやすく、さらに確実にレンズの破損を防止する技術の開発が要求されている。
【０００７】
本発明は、上記事情に鑑み、レンズ鏡胴が折れてしまう不具合が回避された撮影装置を提供することを目的とする。
【課題を解決するための手段】
【０００８】
上記目的を達成する本発明の撮影装置は、被写体を撮影する撮影装置において、
本体筐体と、
本体筐体の前面に設けられた、被写体光を結像させる光学系を収容した光学鏡胴と、
所定の操作を受けて、この撮影装置の電源を投入／切断する電源入切部と、
光学鏡胴を本体筐体に対して突出／沈胴させる鏡胴駆動部と、
光学系によって結像する被写体光を撮影して被写体光を表す画像データを生成する撮像部と、
撮像部で生成される画像データに対する所定の処理を行うデータ処理部と、
鏡胴駆動部、撮像部、およびデータ処理部を制御する、鏡胴駆動部に光学鏡胴を突出させて撮像部に画像データを生成させる撮影モードと、データ処理部に処理を実行させる処理モードとを有し、電源入切部によって電源が切断される場合には鏡胴駆動部に光学鏡胴を沈胴させ、電源入切部によって電源が投入された場合には、光学鏡胴を沈胴させたまま処理モードでの制御を行う制御部とを備えたことを特徴とする。
【０００９】
本発明の撮影装置によると、電源が切断された状態では、光学鏡胴が本体筐体内に沈胴されており、電源が投入されると、光学鏡胴が沈胴されたまま、処理モードにおける処理が実行される。このため、誤って電源が投入されてしまっても、光学鏡胴がすぐには繰り出されないため、光学鏡胴に無理な力が掛かって破損してしまう不具合が確実に回避される。
【００１０】
また、本発明の撮影装置において、「撮影に関する指示が入力操作によって入力される指示入力部を備え、
上記電源入切部は、指示入力部に指示が入力されてから第１の時間が経過しても次の指示が入力されない場合には上記操作抜きで電源を切断するとともに、電源を投入してから指示入力部に一度も指示が入力されずに第１の時間よりも短い第２の時間が経過した場合にも上記操作抜きで電源を切断するものである」という形態は好適である。
【００１１】
本発明の好適な形態の撮影装置によると、撮影に関する指示が入力されてから第１の時間が経過しても次の指示が入力されない場合には、操作抜きで自動的に電源が切断されるため、無駄な消費電力が抑えられる。また、誤って電源が入れられた場合などのように、電源が投入されてから一度も指示が入力されない場合は、第１の時間よりも短い第２の時間が経過した時点で電源が切断されるため、さらに効率よく消費電力を軽減することができる。
【００１２】
また、本発明の撮影装置において、上記制御部が、所定のモード指示操作を受けるものであって、電源入切部によって電源が投入された場合であっても、モード指示操作を受けている場合には撮影モードでの制御を行うものであることが好ましい。
【００１３】
すぐに撮影を行う場合には、電源が投入されたら自動的に光学鏡胴が繰り出され、撮影可能な状態にスタンバイされることが好ましい。本発明の好ましい形態の撮影装置によると、モード指示操作を行った状態で電源を投入する操作を行うことによって、撮影モードでの制御が行われて光学鏡胴が突出されるため、シャッタチャンスを逃さずに撮影を行うことができる。
【００１４】
また、本発明の撮影装置において、上記制御部が、所定のモード指示操作を受けるものであって、モード指示操作を受けて、処理モードでの制御から撮影モードでの制御に移行するものであることも好ましい。
【００１５】
電源を投入する操作と、モード指定操作との２段階の操作を受けて、処理モードでの制御から撮影モードでの制御に移行することによって、撮影時にのみ光学鏡胴を繰り出すことができる。
【００１６】
また、本発明の撮影装置において、「音声を取得する音声取得部を備え、
上記制御部が、音声取得部において所定の音声が取得された場合に、処理モードでの制御から撮影モードでの制御に移行するものである」という形態は好ましい。
【００１７】
所定の音声の取得を受けて、処理モードでの制御から撮影モードでの制御に移行することによって、容易に光学鏡胴を繰り出すことができる。
【００１８】
また、本発明の撮影装置において、上記制御部は、電源入切部によって電源が投入された場合には、光学鏡胴を突出させずに画像データを生成させて、画像データが表わす画像の明るさが所定の明るさよりも明るいか否かを判定させる処理モードでの制御を行うものであり、画像が明るいと判定された場合には、処理モードでの制御から撮影モードでの制御に移行するものであることが好ましい。
【００１９】
電源が投入された場合に、まずは光学鏡胴を突出させずに画像データを生成し、その画像データが表わす画像の明るさが明るい場合にのみ撮影モードに移行することによって、例えば、撮影装置がかばんの中などに入れられた状態などでは、光学鏡胴が突出されないため、光学鏡胴の破損を確実に回避することができるとともに、撮影装置がかばんの中から取り出された状態などでは、特別な操作なしで自動的に光学鏡胴が突出されるため、シャッタチャンスを逃さずに撮影を行うことができる。
【００２０】
また、本発明の撮影装置において、「この撮影装置が固定されているか否かを検出する固定検出部を備え、
上記制御部が、電源入切部によって電源が投入された場合であっても、固定検出部でこの撮影装置の固定が検出されている場合には撮影モードでの制御を行うものである」という形態は好ましい。
【００２１】
三脚等によって撮影装置が固定されている場合、撮影装置がかばん等の中から取り出されている状態であると考えられ、光学鏡胴を突出させても、光学鏡胴の破損が生じにくい。したがって、電源投入後に自動的に撮影モードでの制御が行われ、撮影のスタンバイが行われることが好ましい。
【００２２】
また、本発明の撮影装置において、「この撮影装置は、ストラップを装着する装着部分を備えたものであり、
装着部分に装着されたストラップが引っ張られたことを検出するストラップ検出部を備え、
上記制御部は、ストラップ検出部でストラップが引っ張られたことが検出された場合に、鏡胴駆動部に光学鏡胴を沈胴させるものである」という形態は好ましい。
【００２３】
ストラップが引っ張られている場合、撮影装置がかばんなどにぶら下げられている状況が考えられる。したがって、ストラップが引っ張られたことが検出された場合には、光学鏡胴を本体筐体内に沈胴させることによって、撮影装置の強度が高められて、撮影装置に衝撃が加えられて光学系などが破損してしまう不具合が回避される。
【発明の効果】
【００２４】
本発明によれば、レンズ鏡胴が折れてしまう不具合が回避された撮影装置を提供することができる。
【発明を実施するための最良の形態】
【００２５】
以下、図面を参照して本発明の実施の形態を説明する。
【００２６】
図１および図２は、本発明の一実施形態であるデジタルカメラの外観斜視図である。
【００２７】
図１のパート（Ａ）には、撮影レンズが内蔵されたレンズ鏡胴１０が本体筐体１´内に沈胴された沈胴状態が示されており、図１のパート（Ｂ）には、レンズ鏡胴１０が本体筐体１´から繰り出された繰出状態が示されている。レンズ鏡胴１０が沈胴されている状態では、図１のパート（Ａ）に示すように、レンズ鏡胴１０の前面はレンズカバー２０で覆われており、レンズ鏡胴１０の内部に収容されたレンズの破損やゴミなどの浸入が防止されている。レンズ鏡胴１０が繰り出されると、図１のパート（Ｂ）に示すように、レンズカバー２０が開いてレンズ鏡胴１０の内部に光が入射する。この本体筐体１´は、本発明にいう本体筐体の一例にあたり、レンズ鏡胴１０は、本発明にいう光学鏡胴の一例に相当する。
【００２８】
図１に示すデジタルカメラ１の正面には、閃光を発する閃光発光部３０と、音声を取得するマイク５０が配置されており、デジタルカメラ１の上部には、シャッタスイッチ１４が備えられている。マイク５０は、本発明にいう音声取得部の一例に相当する。
【００２９】
また、デジタルカメラ１の側面には、電源を入切するための電源スイッチ４２と、電源スイッチ４２と一緒に押下して、レンズ鏡胴１０を突出させるための鏡胴スイッチ４３とが備えられている。電源スイッチ４２は、本発明にいう電源入切部の一例に相当する。
【００３０】
図２のパート（Ａ）には、デジタルカメラ１の背面図が示されている。
【００３１】
デジタルカメラ１の背面には、画像やメニュー画面を表示するＬＣＤ（液晶ディスプレイ）６０と、ＬＣＤ６０に表示されたメニュー画面中の項目等を選択するための十字キー４４と、設定内容を決定するためのＯＫスイッチ４５と、設定内容を中止するためのキャンセルスイッチ４６とが備えられている。本実施形態においては、十字キー４４などを使って、このデジタルカメラ１で実行される動作モードを、撮影画像を表示する「再生モード」、被写体を撮影する「撮影モード」、およびデジタルカメラ１に内蔵された時計の時刻などを合わせる「セットアップモード」のいずれかに設定することができる。電源スイッチ４２が押されると、初期状態として「再生モード」が設定され、通常は、十字キー４４を使って動作モードが切り替えられるが、例えば、電源スイッチ４２が押された後で、マイク５０で所定の音声が取得された場合には、動作モードが「再生モード」から「撮影モード」に自動的に切り替わり、鏡胴スイッチ４３が押された状態で電源スイッチ４２が押されたときには、初期状態として「撮影モード」が設定される。動作モードの遷移については、後で詳しく説明する。十字キー４４、ＯＫスイッチ４５、およびキャンセルスイッチ４６は、本発明にいう指示入力部の一例にそれぞれ相当する。
【００３２】
また、十字キー４４の‘上’キーを押し続けると、レンズ鏡胴１０内に収容された撮影レンズが望遠側（テレ側）に移動し、十字キー４４の‘下’キーを押し続けると、撮影レンズが広角側（ワイド側）に移動する。
【００３３】
デジタルカメラ１の、電源スイッチ４２等が設けられた面とは逆の側面には、ストラップを装着するためのストラップ装着部材７０が備えられている。
【００３４】
図２のパート（Ｂ）には、ストラップ装着部材７０の構成図が示されている。
【００３５】
ストラップ装着部材７０は、ストラップが通されるストラップ孔７０ａが穿たれた先端部分７１、先端部分７１から延びた支持部分７２、支持部分７２の後端に設けられた後端部分７３、および後端部分７３に取り付けられた付勢部材７４とで構成されている。支持部分７２は、デジタルカメラ１の本体筐体１´を貫通しており、本体筐体１´を挟んだ支持部分７２の両端に先端部分７１と後端部分７３とが備えられている。また、後端部分７４には、ストラップ孔７０ａに通されたストラップが引っ張られたことを検出するためのストラップスイッチ４７が備えられている。
【００３６】
ストラップがストラップ孔７０ａに通されただけの状態においては、付勢部材７４が後端部分７３を本体筐体１´から離れる方向（図２の左方向）に付勢しており、ストラップスイッチ４７は押されない。ストラップ孔７０ａに通されたストラップが引っ張られると、先端部分７１がストラップと一緒に引っ張られるのに伴って後端部分７３も本体筐体１´に近づく方向（図２の右方向）に動かされ、ストラップスイッチ４７が本体筐体１´と後端部分７３との間に挟まれて押される。このように、ストラップスイッチ４７は、ストラップ孔７０ａに通されたストラップが引っ張られたことを検知するためのスイッチである。ストラップ装着部材７０は、本発明にいう装着部分の一例にあたり、ストラップスイッチ４７は、本発明にいうストラップ検出部の一例に相当する。
【００３７】
続いて、レンズ鏡胴１０の沈胴／突出について説明する。
【００３８】
図３は、デジタルカメラ１を光軸に沿って切断した概略的な断面図である。
【００３９】
図３のパート（Ａ）には、沈胴状態おける断面図が示されている。
【００４０】
レンズ鏡胴１０は複数の筒で構成されており、沈胴状態においては、それら複数の筒が入れ子の状態で収容されている。レンズ鏡胴１０の内部空間には、前方から順に、前群レンズ１１、後群レンズ１２、およびフォーカスレンズ１３の３群が光軸を揃えて並べられてなる撮影レンズが収容されており、撮影レンズの後方には、被写体光を読み取るＣＣＤ８０が配置されている。前群レンズ１１、後群レンズ１２、およびフォーカスレンズ１３は、本発明にいう光学系の一例にあたり、ＣＣＤ８０は、本発明にいう撮像部の一例に相当する。
【００４１】
図３のパート（Ｂ）には、撮影レンズがワイド状態にある断面図が示されており、図３のパート（Ｃ）には、撮影レンズがテレ状態にある断面図が示されている。
【００４２】
レンズ鏡胴１０には、複数の筒を光軸に沿う方向に移動させる鏡胴駆動部１０ａ（図４参照）が取り付けられており、「撮影モード」が設定されてレンズ鏡胴１０の突出が指示されると、図３のパート（Ｂ）やパート（Ｃ）に示すように、筒が移動されて一部分が重なり合うように伸ばされる。その結果、ズームレンズの役割を担う後群レンズ１２の移動範囲が確保される。
【００４３】
また、後群レンズ１２、およびフォーカスレンズ１３には、それら各レンズを光軸に沿う方向に移動させるレンズ駆動部１４ａ（図４参照）が取り付けられている。後群レンズ１２が図３のパート（Ｂ）に示すワイド端と図３のパート（Ｃ）に示すテレ端との間で移動されることによって焦点距離が変化し、フォーカスレンズ１３が光軸に沿って移動されることによりピント調節が行われる。
【００４４】
続いて、デジタルカメラ１の内部構成について説明する。
【００４５】
図４は、図１に示すデジタルカメラ１の概略的な内部構成図である。
【００４６】
本実施形態のデジタルカメラ１は、すべての処理がＣＰＵ１１０によって制御されており、各種指示や各種情報はバス１９０を介して伝達される。内部メモリ１８０には、所定の音声を表す音声データが記憶されているとともに（本実施形態では、「スイッチＯＮ」という音声を表す音声データが記憶されているものとして説明する）、デジタルカメラ１で各種処理を実行するために必要な各種プログラム手順が書き込まれている。ＣＰＵ１１０は、デジタルカメラ１に備えられた各種スイッチ（シャッタスイッチ４１、電源スイッチ４２、鏡胴スイッチ４３、十字キー４４、ＯＫスイッチ４５、キャンセルスイッチ４６、およびストラップスイッチ４７）からの操作信号が供給されたり、タイマー１１０ａから所定の時間が経過したことが伝えられたり、マイク５０で所定の音声（「スイッチＯＮ」）が取得されて、音声入力Ｉ／Ｆ１５０を介して音声データが伝えられると、内部メモリ１８０に記憶されたプログラム手順に従って、デジタルカメラ１全体の動作を統括的に制御する。ＣＰＵ１１０は、本発明にいう制御部の一例に相当する。
【００４７】
まず、図４を参照して画像信号の流れを説明する。
【００４８】
撮影者が十字キー４４を操作することなどで、動作モードとして「撮影モード」が設定されると、ＣＰＵ１１０は、カバー駆動部２０ａにレンズカバー２０を開く指示を伝え、鏡胴駆動部１０ａにレンズ鏡胴１０を繰り出す指示を伝える。
【００４９】
ＣＰＵ１１０からの指示が伝えられると、鏡胴駆動部１０ａは、図１のパート（Ｂ）に示すように、レンズ鏡胴１０を本体筐体１´から繰り出し、カバー駆動部２０ａは、図１のパート（Ｂ）に示すように、レンズカバー２０を開く。鏡胴駆動部１０ａは、本発明にいう鏡胴駆動部の一例に相当する。
【００５０】
また、撮影者が十字キー４４を操作して撮影画角を変更すると、その変更の操作が十字キー４４からＣＰＵ１１０に伝えられる。ＣＰＵ１１０では、変更された撮影画角に対応する焦点距離を実現するための後群レンズ２２のレンズ位置が算出され、算出されたレンズ位置は、レンズ駆動部１４ａに伝えられる。
【００５１】
レンズ駆動部１４ａは、後群レンズ２２を伝えられたレンズ位置に移動させ、さらに、フォーカスレンズ１３を光軸に沿う方向に移動させる。
【００５２】
レンズカバー２０が開いて、デジタルカメラ１内に入射してきた被写体光は、レンズ鏡胴１０内に収容された前群レンズ１１、後群レンズ１２、およびフォーカスレンズ１３を経て、被写体光の光量を調整する絞り８１を通過した後、シャッタ８２が開いている場合は、後段に配置されたＣＣＤ８０上に結像する。ＣＣＤ８０では、所定のタイミング毎に、被写体像を表わす画像信号が生成される。生成された画像信号は、Ａ／Ｄ部１２０において粗く読み出され、アナログ信号がデジタル信号に変換されて、低解像度なスルー画像データが生成される。生成されたスルー画像データは、信号処理部１３０において、ホワイトバランスの補正やγ補正などといった画像処理が施される。
【００５３】
信号処理部１３０において画像処理が施された画像データは、一旦バッファメモリ１４０に記憶される。バッファメモリ１４０に記憶された低解像度なスルー画像データは、古い時刻に記憶されたスルー画像データから先に、表示制御部１７０を介してＬＣＤ６０に伝えられ、ＬＣＤ６０上に、スルー画像データが表わすスルー画像が表示される。ここで、ＣＣＤ８０では、所定のタイミング毎に被写体光が読み取られて画像信号が生成されているため、このＬＣＤ６０には、撮影レンズが向けられた方向の被写体が被写体像として常に表示され続ける。
【００５４】
また、バッファメモリ１４０に記憶されたスルー画像データは、ＣＰＵ１１０にも供給される。ＣＰＵ１１０は、スルー画像データに基づいて、フォーカスレンズ１３が光軸に沿って移動されている間にＣＣＤ８０で繰り返し得られた画像信号が表わす被写体像のコントラストと輝度を検出し、さらに、コントラストのピークが得られたときのフォーカスレンズ１３のレンズ位置と、被写体の輝度に応じた絞り値を算出する。算出されたフォーカスレンズ１３のレンズ位置はレンズ駆動部１４ａに伝えられ、算出された絞り値は絞り駆動部８１ａに伝えられる。
【００５５】
レンズ駆動部１４ａは、フォーカスレンズ１３をＣＰＵ１１０から伝えられたレンズ位置に移動させるとともに（ＡＦ処理）、絞り駆動部８１ａは、絞り８１の絞り値をＣＰＵ１１０から伝えられた絞り値に調整する（ＡＥ処理）。
【００５６】
ここで、ＬＣＤ６０に表示されたスルー画像を確認しながら、撮影者が図１に示すシャッタボタン４１を押下すると、シャッタボタン４１が押されたことがＣＰＵ１１０に伝えられる。被写体が暗いときには、ＣＰＵ１１０から閃光発光部３０に発光指示が伝えられ、シャッタスイッチ４１の押下に同期して閃光発光部３０から閃光が発せられる。また、ＣＰＵ１１０からの指示に従って、ＣＣＤ８０で生成された画像信号がＡ／Ｄ部１２０において細かく読み出され、高解像度な撮影画像データが生成される。生成された撮影画像データは、信号処理部１３０で画像処理が施されて、バッファメモリ１４０に記憶される。
【００５７】
バッファメモリ１４０に記憶された撮影画像データは、信号処理部１３０において圧縮処理が施され、圧縮された撮影画像データがメディアコントローラ１６０を介して記録メディア２００に記憶される。
【００５８】
また、撮影者が十字キー４４を操作することなどで、動作モードとして「再生モード」が設定されると、記録メディア２００に記憶された撮影画像データは、信号処理部１３０において伸張処理が施された後、表示制御部１７０を介してＬＣＤ６０に伝えられる。ＬＣＤ６０には、撮影画像データが表わす撮影画像が表示される。信号処理部１３０、表示制御部１７０、およびＬＣＤ６０などを合わせたものは、本発明にいうデータ処理部の一例に相当する。
【００５９】
デジタルカメラ１は、以上のように構成されている。
【００６０】
ここで、例えば、デジタルカメラ１がかばんの中に入ったままの状態で、レンズ鏡胴１０が繰り出されてしまうと、レンズ鏡胴１０に無理な力が掛かって折れてしまう恐れがある。本実施形態のデジタルカメラ１は、電源スイッチ４２のみが押された場合には、電源投入時にレンズ鏡胴１０を突出させないことによって、撮影レンズなどの破損が回避されている。以下では、デジタルカメラ１の電源が入ってからレンズ鏡胴１０が繰り出されるまでの一連の処理について説明する。
【００６１】
図５は、デジタルカメラ１の電源が投入されてから、電源が切断されるまでの一連の処理の流れを示すフローチャート図である。
【００６２】
撮影者が、図１に示す電源スイッチ４２を押すと、電源スイッチ４２からＣＰＵ１１０に操作信号が伝えられ、ＣＰＵ１１０によってデジタルカメラ１の電源が投入される（図５のステップＳ１）。
【００６３】
また、ステップＳ１において、電源スイッチ４２が押されたときに、鏡胴スイッチ４３が押されていない場合には（図５のステップＳ２：Ｎｏ）、ＣＰＵ１１０によって動作モードとして「再生モード」が設定され、「再生モード」における処理が開始される（図５のステップＳ３）。
【００６４】
電源スイッチ４２のみが押された場合は、かばんの中などで誤ってデジタルカメラ１の電源スイッチ４２が入れられてしまった恐れがある。このような場合には、レンズ鏡胴１０が繰り出されない動作モードである「再生モード」が設定されることによって、レンズの破損などが回避される。
【００６５】
また、撮影者によって音声が発せられると、マイク５０で取得された音声が音声入力Ｉ／Ｆ１５０によってデジタル化され、音声データがＣＰＵ１１０に伝えられる。ＣＰＵ１１０では、音声データが表す音声が、内部メモリ１８０に予め登録されている音声データが表す音声「スイッチＯＮ」と同じであるか否かが判定される。
【００６６】
登録されていた音声と同じ音声が取得されたと判定された場合は（図５のステップＳ４：Ｙｅｓ）、ＣＰＵ１１０において、動作モードが「再生モード」から「撮影モード」に切り替えられる（図５のステップＳ１２）。「撮影モード」における一連の処理については、ステップＳ１２以降で詳しく説明する。
【００６７】
音声を予め登録しておくことによって、「再生モード」から「撮影モード」に容易に切り替えることができる。
【００６８】
登録されていた音声が取得されず（図５のステップＳ４：Ｎｏ）、「再生モード」に設定されたまま、撮影者によって十字キー４４などが操作されたときには（図５のステップＳ５：Ｙｅｓ）、そのスイッチ操作に応じた再生処理が実行される（図５のステップＳ６）。すなわち、撮影者が十字キー４４を操作すると、記録メディア２００に記憶された撮影画像データのうち１つの撮影画像データが選択され、選択された撮影画像データが信号処理部１３０において伸張される。伸張後の撮影画像データは表示制御部１７０を介してＬＣＤ６０に伝えられ、ＬＣＤ６０に撮影画像データが表わす撮影画像が表示される。撮影者がさらに十字キー４４を操作すると（図５のステップＳ７：Ｙｅｓ）、その操作に従って選択された撮影画像がＬＣＤ６０に表示される。以上のような再生処理が、撮影者がキャンセルスイッチ４６等を使って再生処理の終了を選択するまで続けられる（図５のステップＳ８：Ｎｏ）。
【００６９】
再生処理が終了し（図５のステップＳ８：Ｙｅｓ）、撮影者によって電源スイッチ４２が押されると、ＣＰＵ１１０によってデジタルカメラ１の電源が切断される（図５のステップＳ１１）。
【００７０】
また、図５のステップＳ７において、撮影者が十字キー４４などを操作してから、次のスイッチ操作が行われないまま（図５のステップＳ７：Ｎｏ）、所定の時間Ｔ１が経過した場合には（図５のステップＳ９：Ｙｅｓ）、ＣＰＵ１１０によって自動的に電源が切断される（図５のステップＳ１１）。
【００７１】
撮影者によってスイッチ操作が行われた後、所定の時間Ｔ１が経過しても次のスイッチ操作が行われないときには、自動的に電源を切断することによって、無駄な電力消費を抑えることができる。
【００７２】
また、電源スイッチ４２が押された後、登録されていた音声が取得されず（図５のステップＳ４：Ｎｏ）、図４に示す各種スイッチが操作されないまま時間Ｔ２（ただし、時間Ｔ１＞時間Ｔ２）が経過した場合も（図５のステップＳ５：Ｙｅｓ）、ＣＰＵ１１０によって電源が切断される（図５のステップＳ１１）。
【００７３】
電源が投入された後で、１度もスイッチ操作が行われない場合は、誤って電源スイッチ４２が押されてしまった恐れがある。このような場合には、ステップＳ９における時間Ｔ１よりも短い時間Ｔ２が経過した時点で電源を自動的に切断することによって、消費電力をさらに効率よく軽減することができる。
【００７４】
以上のようにして、「再生モード」における処理が実行される。
【００７５】
次に、「撮影モード」について説明する。
【００７６】
電源スイッチ４２が押されたときに（図５のステップＳ１）、鏡胴スイッチ４３も一緒に押されていた場合は（図５のステップＳ２：Ｙｅｓ）、鏡胴スイッチ４３からもＣＰＵ１１０に操作信号が伝えられ、ＣＰＵ１１０によって、動作モードとして「撮影モード」が設定される（図５のステップＳ１２）。
【００７７】
「撮影モード」が設定されると、ＣＰＵ１１０からカバー駆動部２０ａにレンズカバー２０を開く指示が伝えられ、ＣＰＵ１１０から鏡胴駆動部１０ａにレンズ鏡胴１０を繰り出す指示が伝えられる。その結果、鏡胴駆動部１０ａによって、レンズ鏡胴１０が本体筐体１´から繰り出され（図５のステップＳ１３）、カバー駆動部２０ａによって、レンズカバー２０が開かれて、撮影可能な状態にスタンバイされる。
【００７８】
このように、電源スイッチ４２と鏡胴スイッチ４３とが同時に押された場合には、自動的にレンズ鏡胴１０を繰り出すことによって、電源の投入と同時に撮影を開始することができ、シャッタチャンスを逃さずに撮影を行うことができる。
【００７９】
レンズカバー２０が開かれると、ＣＣＤ８０で生成された画像信号が粗く読み出されてスルー画像データが生成され、スルー画像データが表わすスルー画像がＬＣＤ６０上に表示される。撮影者によって図４に示すシャッタスイッチ４１等が押されると（図５のステップＳ１４：Ｙｅｓ）、ＣＣＤ８０で生成された画像信号が細かく読み出されて撮影画像データが生成され、生成された撮影画像データが記録メディア２００に記録される（図５のステップＳ１５）。
【００８０】
また、図２に示すストラップ装着部材７０に装着されたストラップが引っ張られ、ストラップスイッチ４７が押されると（図５のステップＳ１６：Ｙｅｓ）、ストラップスイッチ４７からＣＰＵ１１０に操作信号が伝えられる。ストラップスイッチ４７からの操作信号が伝えられると、ＣＰＵ１１０からカバー駆動部２０ａにレンズカバー２０を閉じる指示を伝えられ、ＣＰＵ１１０から鏡胴駆動部１０ａにレンズ鏡胴１０を沈胴させる指示が伝えられる。その結果、鏡胴駆動部１０ａによって、レンズ鏡胴１０が本体筐体１´内に沈胴され（図５のステップＳ１９）、カバー駆動部２０ａによって、レンズカバー２０が閉じられる。さらに、ＣＰＵ１１０によってデジタルカメラ１の電源が切断される（図５のステップＳ１１）。
【００８１】
レンズ鏡胴１０が繰り出されたままでデジタルカメラ１に衝撃が加えられると、撮影レンズなどが破損してしまう恐れがある。本実施形態では、デジタルカメラ１が落下されたり、デジタルカメラ１がぶら下げられることによってストラップが引っ張られ、ストラップスイッチ４７が押されると、レンズ鏡胴１０が沈胴されてデジタルカメラ１の鏡胴が高められるため、撮影レンズなどの破損を軽減することができる。
【００８２】
ストラップスイッチ４７が押されていない場合は（図５のステップＳ１６：Ｎｏ）、撮影者がシャッタスイッチ４１を押す毎に撮影画像データが生成され、生成された撮影画像データが記録メディア２００に記録される。以上のような撮影処理が、撮影者が十字キー４４等を使って撮影処理の終了を選択するまで続けられる（図５のステップＳ１７：Ｎｏ）。
【００８３】
撮影処理が終了し（図５のステップＳ１７：Ｙｅｓ）、撮影者によって電源スイッチ４２が押されると、ＣＰＵ１１０からの指示によってレンズ鏡胴１０が沈胴され（図５のステップＳ１９）、デジタルカメラ１の電源が切断される（図５のステップＳ１１）。
【００８４】
また、レンズ鏡胴１０が繰り出された後（図５のステップＳ１３）、図４に示すシャッタスイッチ４１などが操作されずに（図５のステップＳ１４：Ｎｏ）、所定の時間Ｔ１が経過した場合にも（図５のステップＳ１８：Ｙｅｓ）、ＣＰＵ１１０からの指示によって、レンズ鏡胴１０が本体筐体１´内に沈胴され（図５のステップＳ１９）、電源が切断される（図５のステップＳ１２）。
【００８５】
「撮影モード」が設定された場合は、撮影者によって電源スイッチ４２と鏡胴スイッチ４３の両方が操作されており、撮影者はデジタルカメラ１の電源が投入されたことを認識していると考えられる。したがって、比較的長い時間Ｔ１が経過した時点で電源が切断されることによって、撮影者が撮影画角などを確認している間に電源が切断されてしまい、新たに電源を入れなおす手間を軽減することができる。
【００８６】
以上のように、本実施形態のデジタルカメラ１によると、電源が誤って投入された場合にはレンズ鏡胴１０が繰り出されないため、撮影レンズなどの破損が確実に回避される。
【００８７】
以上で、本発明の第１実施形態の説明を終了し、本発明の第２実施形態について説明する。本発明の第２実施形態は、第１実施形態とほぼ同様の構成を有しているため、同じ要素には同じ符号を付して説明を省略し、相違点についてのみ説明する。
【００８８】
図６は、本発明の第２実施形態であるデジタルカメラ２の外観斜視図である。
【００８９】
本実施形態のデジタルカメラ２は、図１に示す第１実施形態のデジタルカメラ１とほぼ同様の構成を有しているが、デジタルカメラ２には、本体筐体１´に、三脚に挿し込んでデジタルカメラ２を三脚に固定するための固定穴１ａが設けられており、固定穴１ａの上部に、三脚に挿し込まれることによって押される三脚スイッチ４８が備えられている。三脚スイッチ４８は、本発明にいう固定検出部の一例に相当する。
【００９０】
また、鏡胴スイッチ４３は、電源スイッチ４２と同時に押すためのものではなく、デジタルカメラ１に電源が投入された状態において押されることによって、レンズ鏡胴１０を突出させるためのものである点が第１実施形態のデジタルカメラ１とは異なる。
【００９１】
図７は、デジタルカメラ２の概略的な内部構成図である。
【００９２】
デジタルカメラ２は、図４に示すデジタルカメラ１とほぼ同様な内部構成を有しているが、デジタルカメラ２には、図６にも示す三脚スイッチ４８が備えられている。また、デジタルカメラ２においては、内部メモリ１８０には、動作モードを「撮影モード」に切り替えるための音声が登録されておらず、マイク５０は記録用の音声を取得するために備えられている。
【００９３】
図８は、デジタルカメラ２の電源が投入されてから、電源が切断されるまでの一連の処理の流れを示すフローチャート図である。
【００９４】
撮影者が、図１に示す電源スイッチ４２を押すと、図５のステップＳ１と同様に、ＣＰＵ１１０によってデジタルカメラ１の電源が投入される（図８のステップＳ２１）。
【００９５】
電源が投入されると、ＣＰＵ１１０によって、カバー駆動部２０ａにレンズカバー２０を開く指示が伝えられ、ＣＣＤ８０に画像信号を生成する指示が伝えられる。
【００９６】
カバー駆動部２０ａによってレンズカバー２０が開かれると（図８のステップＳ２２）、ＣＣＤ８０によって画像信号が生成され（図８のステップＳ２３）、生成された画像信号がＡ／Ｄ部１２０で粗く読み取られて低解像度データが生成される。生成された低解像度データは、ＣＰＵ１１０に伝えられる。
【００９７】
ＣＰＵ１１０では、低解像度データが表す画像の明るさが検出される。画像の明るさが所定の明るさよりも明るい場合には（図８のステップＳ２４：Ｙｅｓ）、動作モードとして「撮影モード」が設定され（図８のステップＳ２５）、図５のステップＳ６以降に示す「撮影モード」における処理が実行される。
【００９８】
デジタルカメラ２がポケット等から取り出された状態で取得された画像は十分に明るいと考えられる。このため、レンズ鏡胴１０を突出させずに仮の画像を取得し、取得した画像が明るい場合には、自動的に「撮影モード」に設定することによって、素早く撮影のスタンバイを行うことができる。
【００９９】
また、画像の明るさが所定の明るさよりも暗い場合であっても（図８のステップＳ２４：Ｎｏ）、三脚スイッチ４８が押されている場合には（図８のステップＳ２６：Ｙｅｓ）、動作モードとして「撮影モード」が設定される（図８のステップＳ２５）。
【０１００】
夜景などといった暗い被写体を撮影する際には、露光時間を長くして露光量を増加させることが行われており、デジタルカメラが動いてしまわないように、デジタルカメラが三脚に固定されることが多い。このため、画像が暗い場合であっても、三脚スイッチ４８が押されている場合には「撮影モード」に設定することによって、撮影者が動作モードを「撮影モード」に切り替える手間を省くことができる。
【０１０１】
また、画像の明るさが所定の明るさよりも暗く（図８のステップＳ２４：Ｎｏ）、三脚スイッチ４８が押されていない場合には（図８のステップＳ２６：Ｎｏ）、動作モードとして「再生モード」が設定される（図８のステップＳ２７）。
【０１０２】
画像の明るさが暗いということは、デジタルカメラ２がポケットの中などに入っていたり、暗い被写体を撮影する場合などが考えられるが、三脚スイッチ４８も押されていないということは、ポケットの中などで誤って電源スイッチ４２が押されてしまったと考えられる。このような場合には、動作モードとして、レンズ鏡胴１０が繰り出されない「再生モード」が設定されることによって、撮影レンズなどの破損が確実に回避される。
【０１０３】
「再生モード」が設定された後、撮影者によって、図６に示す鏡胴スイッチ４３が押されると（図８のステップＳ２７）、鏡胴スイッチ４３からＣＰＵ１１０に操作信号が伝えられる。ＣＰＵ１１０は、動作モードを「再生モード」から「撮影モード」に切り替える（図８のステップＳ２５）。
【０１０４】
「再生モード」が設定された後で、撮影者の操作に従って、動作モードを「撮影モード」に切り替えることによって、誤ってレンズ鏡胴１０を繰り出してしまう不具合を軽減することができる。
【０１０５】
ここで、上記では、電源が投入された場合には、撮影画像をＬＣＤ６０上に表示する「再生モード」での制御を行う例について説明したが、本発明にいう制御部は、レンズ鏡胴を突出させない処理モードであれば、例えば、電源投入後に時計などを調整する「セットアップモード」での制御を行うものであってもよい。
【０１０６】
また、上記では、本発明の撮影装置をデジタルカメラに適用する例について説明したが、本発明の撮影装置は、例えば、携帯電話や、フィルムに被写体光を結像する銀塩カメラなどに適用してもよい。
【図面の簡単な説明】
【０１０７】
【図１】本発明の一実施形態であるデジタルカメラの外観斜視図である。
【図２】本発明の一実施形態であるデジタルカメラの外観斜視図である。
【図３】デジタルカメラ１を光軸に沿って切断した概略的な断面図である。
【図４】図１に示すデジタルカメラ１の概略的な内部構成図である。
【図５】デジタルカメラ１の電源が投入されてから、電源が切断されるまでの一連の処理の流れを示すフローチャート図である。
【図６】本発明の第２実施形態であるデジタルカメラ２の外観斜視図である。
【図７】デジタルカメラ２の概略的な内部構成図である。
【図８】デジタルカメラ２の電源が投入されてから、電源が切断されるまでの一連の処理の流れを示すフローチャート図である。
【符号の説明】
【０１０８】
１，２    デジタルカメラ
１´    本体筐体
１０    レンズ鏡胴
１０ａ    鏡胴駆動部
１１    前群レンズ
１２    後群レンズ
１３    フォーカスレンズ
１４ａ    レンズ駆動部
２０    レンズカバー
２０ａ    カバー駆動部
３０    閃光発光部
４１    シャッタスイッチ
４２    電源スイッチ
４３    鏡胴スイッチ
４４    十字キー
４５    ＯＫスイッチ
４６    キャンセルスイッチ
４７    ストラップスイッチ
５０    マイク
６０    ＬＣＤ
７０    ストラップ装着部材
７１    先端部分
７２    支持部分
７３    後端部分
７４    付勢部材
８０    ＣＣＤ
８１    絞り
８１ａ    絞り駆動部
８２    シャッタ
８２ａ    シャッタ駆動部
１１０    ＣＰＵ
１１０ａ    タイマー
１２０    Ａ／Ｄ部
１３０    信号処理部
１４０    バッファメモリ
１５０    音声入力Ｉ／Ｆ
１６０    メディアコントローラ
２００    記録メディア
１７０    表示制御部
１８０    内部メモリ
【図１】
0004528233.tif 000002
【図２】
0004528233.tif 000003
【図３】
0004528233.tif 000004
【図４】
0004528233.tif 000005
【図５】
0004528233.tif 000006
【図６】
0004528233.tif 000007
【図７】
0004528233.tif 000008
【図８】
0004528233.tif 000009